(57)【要約】【課題】ノズルの温度を適切に調節可能でかつノズル着脱の作業性が良好な熱硬化性樹脂材料用の射出成形機およびその射出成形機の制御方法を提供する。【解決手段】射出成形機１の制御部３０は、ノズル温度センサー２６によってノズル２２の温度Ｔを検出する。そして、制御部３０は、検出したノズル２２の温度Ｔに応じて、射出動作開始時のノズルの温度Ｔが目標温度Ｔｍとなるように、保圧動作終了時から射出動作開始時までの接触状態調節期間に射出シリンダ２１を進退させてノズル２２と固定金型８１との接触状態を調節する。【選択図】図５
2020124821.tif 000002
【特許請求の範囲】
【請求項１】
金型に対して進退可能な射出シリンダと、前記射出シリンダに設けられ、当該射出シリンダの進退に応じて前記金型に接離されるノズルと、前記射出シリンダに収容されたスクリューと、を有する熱硬化性樹脂材料用の射出成形機であって、
前記ノズルの温度を検出する温度検出部と、
前記温度検出部によって検出された前記ノズルの温度に応じて、射出動作開始時の前記ノズルの温度が目標温度となるように、保圧動作終了時から射出動作開始時までの期間に前記射出シリンダを進退させて前記ノズルと前記金型との接触状態を調節する接触状態調節部と、を有することを特徴とする射出成形機。
【請求項２】
前記接触状態調節部が、前記ノズルと前記金型とを接離させることにより前記接触状態を調節する、請求項１に記載の射出成形機。
【請求項３】
前記接触状態調節部が、前記ノズルを前記金型に押し付ける押付力を変えることにより前記接触状態を調節する、請求項１に記載の射出成形機。
【請求項４】
前記接触状態調節部が、前記保圧動作終了時に前記温度検出部により検出された前記ノズルの温度と前記目標温度との温度差に基づいて前記接触状態を調節する、請求項１〜請求項３のいずれか一項に記載の射出成形機。
【請求項５】
前記接触状態調節部が、前記温度差と、前記ノズルが前記金型と接している状態における当該ノズルの温度上昇に関する情報と、前記ノズルが前記金型から離れている状態における当該ノズルの温度低下に関する情報と、を用いて前記ノズルと前記金型とが接しているべき接触時間および離れているべき離間時間を算出し、前記接触時間および前記離間時間に応じて前記ノズルと前記金型とを接離させる、請求項４に記載の射出成形機。
【請求項６】
金型に対して進退可能な射出シリンダと、前記射出シリンダに設けられ、当該射出シリンダの進退に応じて前記金型に接離されるノズルと、前記射出シリンダに収容されたスクリューと、を有する熱硬化性樹脂材料用の射出成形機の制御方法であって、
前記ノズルの温度を検出し、検出した前記ノズルの温度に応じて、射出動作開始時の前記ノズルの温度が目標温度となるように、保圧動作終了時から射出動作開始時までの期間に前記射出シリンダを進退させて前記ノズルと前記金型との接触状態を調節することを特徴とする射出成形機の制御方法。
【発明の詳細な説明】
【技術分野】
【０００１】
本発明は、熱硬化性樹脂材料用の射出成形機、および、熱硬化性樹脂材料の射出成形機の制御方法に関する。
【背景技術】
【０００２】
熱硬化性樹脂材料を用いた射出成形において良好な製品を得るためには、熱硬化性樹脂材料に適切な熱量を加えることが重要である。熱硬化性樹脂材料に必要以上の熱量が加わると硬化反応が進んでしまう。また、熱硬化性樹脂材料に必要な熱量が加わらないと、熱硬化性樹脂材料の粘度が十分に下がらず、成形性が悪化したり、ガラスやカーボンなどからなる長繊維材料を混入した場合に折損が生じたりする。
【０００３】
熱硬化性樹脂材料用の射出成形機は、射出シリンダの温度より金型の温度が高くなるように設定されている。そのため、射出シリンダに設けられたノズルは、金型からの熱によって温度が上昇する。また、射出時に熱硬化性樹脂材料が樹脂流路を流れることにより剪断熱が生じる。そのため、この剪断熱によってもノズルの温度が上昇する。このようにノズルの温度が上昇すると、ノズルから熱硬化性樹脂材料に必要以上の熱量が加わるおそれがある。そして、特許文献１〜３にノズルの温度を調節する構成が開示されている。
【０００４】
特許文献１の熱硬化性樹脂材料用の射出成形機は、金型内に挿入されるノズル（ロングノズル）を有している。この射出成形機は、ノズルの先端部が金型内に入るので、金型からの熱によりノズルの温度が高くなり、熱硬化性樹脂材料が硬化するおそれがある。そのため、熱電対によりノズルの温度を検出して、射出保持工程の終了後、ノズル先端部が設定温度以上になるとノズルを自動的に後退できるようになっている。
【０００５】
特許文献２の熱硬化性樹脂材料用の射出成形機は、シリンダヘッドとノズルとを覆うカバーが設けられている。この射出成形機は、カバー内の空間に冷却水または熱媒体を流通してノズルの温度調節をする。
【０００６】
特許文献３の射出成形機は、ノズルに巻装されたバンドヒーターを有している。この射出成形機は、成形サイクルごとにバンドヒーターからノズルに加える熱量が常に一定となるように制御する。また、この射出成形機は、ノズルを金型に押し付ける押付力を変えることで、ノズルから金型に受け渡される熱量を調節している。
【先行技術文献】
【特許文献】
【０００７】
【特許文献１】特開平９−２３９７９８号公報
【特許文献２】実開平７−２７８２５号公報
【特許文献３】特開２００６−１９２６４６号公報
【発明の概要】
【発明が解決しようとする課題】
【０００８】
しかしながら、特許文献１の射出成形機は、ノズル先端部が設定温度以上になるとノズルを自動的に後退できるようになっているが、後退した後のノズルの温度については考慮されておらず、ノズルの温度を適切に調節するものではない。
【０００９】
特許文献２の射出成形機は、熱硬化性樹脂材料用の射出成形機であるところ、このような射出成形機では熱硬化性樹脂材料を取り除くためにノズルの着脱が比較的頻繁に行われる。しかしながら、特許文献２の射出成形機は、ノズルを覆うカバーを有しているのでノズル着脱の作業性が良くない。
【００１０】
特許文献３の射出成形機は、バンドヒーターによりノズルに加えられた熱量を金型に受け渡す（逃がす）ものであるので、熱硬化性樹脂材料用の射出成形機のようにノズルの温度より金型の温度が高い構成には採用できない。また、特許文献３の射出成形機は、バンドヒーターがノズルに巻装されているので、ノズル着脱の作業性が良くない。
【００１１】
そこで、本発明は、ノズルの温度を適切に調節可能でかつノズル着脱の作業性が良好な熱硬化性樹脂材料用の射出成形機およびその射出成形機の制御方法を提供することを目的とする。
【課題を解決するための手段】
【００１２】
上記目的を達成するために、本発明の一態様に係る射出成形機は、金型に対して進退可能な射出シリンダと、前記射出シリンダに設けられ、当該射出シリンダの進退に応じて前記金型に接離されるノズルと、前記射出シリンダに収容されたスクリューと、を有する熱硬化性樹脂材料用の射出成形機であって、前記ノズルの温度を検出する温度検出部と、前記温度検出部によって検出された前記ノズルの温度に応じて、射出動作開始時の前記ノズルの温度が目標温度となるように、保圧動作終了時から射出動作開始時までの期間に前記射出シリンダを進退させて前記ノズルと前記金型との接触状態を調節する接触状態調節部と、を有することを特徴とする。
【００１３】
本発明において、前記接触状態調節部が、前記ノズルと前記金型とを接離させることにより前記接触状態を調節することが好ましい。
【００１４】
本発明において、前記接触状態調節部が、前記ノズルを前記金型に押し付ける押付力を変えることにより前記接触状態を調節することが好ましい。
【００１５】
本発明において、前記接触状態調節部が、前記保圧動作終了時に前記温度検出部により検出された前記ノズルの温度と前記目標温度との温度差に基づいて前記接触状態を調節することが好ましい。
【００１６】
本発明において、前記接触状態調節部が、前記温度差と、前記ノズルが前記金型と接している状態における当該ノズルの温度上昇に関する情報と、前記ノズルが前記金型から離れている状態における当該ノズルの温度低下に関する情報と、を用いて前記ノズルと前記金型とが接しているべき接触時間および離れているべき離間時間を算出し、前記接触時間および前記離間時間に応じて前記ノズルと前記金型とを接離させることが好ましい。
【００１７】
上記目的を達成するために、本発明の他の一態様に係る射出成形機の制御方法は、金型に対して進退可能な射出シリンダと、前記射出シリンダに設けられ、当該射出シリンダの進退に応じて前記金型に接離されるノズルと、前記射出シリンダに収容されたスクリューと、を有する熱硬化性樹脂材料用の射出成形機の制御方法であって、前記ノズルの温度を検出し、検出した前記ノズルの温度に応じて、射出動作開始時の前記ノズルの温度が目標温度となるように、保圧動作終了時から射出動作開始時までの期間に前記射出シリンダを進退させて前記ノズルと前記金型との接触状態を調節することを特徴とする。
【発明の効果】
【００１８】
本発明によれば、ノズルの温度を検出し、検出したノズルの温度に応じて、射出動作開始時のノズルの温度が目標温度となるように、保圧動作終了時から射出動作開始時までの期間に射出シリンダを進退させてノズルと金型との接触状態を調節する。このようにしたことから、金型からノズルに適切な熱量を伝達させることができる。そのため、ヒーターやカバーなどの温度調節手段をノズルに設けることなく、射出動作時のノズルの温度を適切に調節できる。したがって、ノズルの温度を適切に調節可能でかつノズル着脱の作業性を良好なものとすることができる。
【図面の簡単な説明】
【００１９】
【図１】本発明の一実施形態に係る射出成形機の正面図である。
【図２】図１の射出成形機の機能ブロック図である。
【図３】図１の射出成形機の要部を拡大した断面図である。
【図４】図１の射出成形機における動作の一例を示すフローチャートである。
【図５】図１の射出成形機における成形サイクルを説明する図である。
【発明を実施するための形態】
【００２０】
以下、本発明の一実施形態に係る熱硬化性樹脂材料用の射出成形機について、図１〜図５を参照して説明する。
【００２１】
図１は、本発明の一実施形態に係る射出成形機の正面図である。図２は、図１の射出成形機の機能ブロック図である。図３は、図１の射出成形機の要部（ノズル近傍）を拡大した断面図である。図３（ａ）はノズルが固定金型に接している状態を示し、図３（ｂ）はノズルが固定金型から離れている状態を示す。図３において可動ダイプレートの記載を省略している。図４は、図１の射出成形機における動作の一例を示すフローチャートである。図５は、図１の射出成形機における成形サイクルを説明する図である。
【００２２】
本実施形態に係る射出成形機１は、水平方向に対向する金型である固定金型８１および可動金型８２を型締する。そして、射出成形機１は、固定金型８１および可動金型８２のキャビティ８３に熱硬化性樹脂材料（以下、単に「樹脂材料」という。）を射出充填して、加熱固化することで成形品としての製品を得る。
【００２３】
図１〜図３に示すように、射出成形機１は、型締ユニット１０と、射出ユニット２０と、制御部３０と、を有している。
【００２４】
型締ユニット１０は、基台５上に設けられている。型締ユニット１０は、トグルリンク機構１１と、固定金型８１が取り付けられる固定ダイプレート１２と、可動金型８２が取り付けられる可動ダイプレート１３と、型締駆動部１４と、を有している。トグルリンク機構１１は、型締駆動部１４により曲げ伸ばしされることにより、固定ダイプレート１２に対して可動ダイプレート１３を進退させる。これにより、固定金型８１に可動金型８２を押し付けてこれら金型を閉じたり（型閉）、固定金型８１から可動金型８２を離してこれら金型を開いたり（型開）する。型締駆動部１４は、制御部３０からの制御信号により制御される。
【００２５】
射出ユニット２０は、基台５上の図示しないレールに移動可能に載せられている。このレールは、図１の左右方向に延在しており、レールの一端が固定ダイプレート１２と対向して配置されている。射出ユニット２０は、射出シリンダ２１と、ノズル２２と、加熱装置２３と、スクリュー２４と、射出シリンダ温度センサー２５と、温度検出部としてのノズル温度センサー２６と、を有している。また、射出ユニット２０は、射出ユニット駆動部２７と、スクリュー駆動部２８と、を有している。
【００２６】
射出シリンダ２１は、円筒状に形成されている。射出シリンダ２１は、射出ユニット２０が上記レール上を移動可能であることから、固定金型８１に対して進退可能である。すなわち、射出ユニット２０の進退と射出シリンダ２１の進退とは同義である。射出シリンダ２１が固定金型８１側に移動することを前進といい、固定金型８１側と反対側に移動することを後退という。
【００２７】
ノズル２２は、射出シリンダ２１の先端（図１において左端）に設けられている。ノズル２２は、射出シリンダ２１の進退に応じて、固定金型８１に接離され、または、固定金型８１に押し付ける押付力が変化（増減）される。
【００２８】
加熱装置２３は、例えば、バンドヒーターや誘導加熱式ヒーターからなり、射出シリンダ２１の外周面に設けられている。加熱装置２３は、射出シリンダ２１を加熱する。加熱シリンダ２１が加熱されることでノズル２２も加熱される。加熱装置２３は、制御部３０からの制御信号により制御される。
【００２９】
スクリュー２４は、射出シリンダ２１に回転及び進退可能に収容されている。スクリュー２４がノズル２２側に移動することを前進といい、ノズル２２側と反対側に移動することを後退という。
【００３０】
射出シリンダ温度センサー２５は、温度を検出する検温部が射出シリンダ２１に埋め込まれており、射出シリンダ２１の温度に応じた信号を制御部３０に出力する。ノズル温度センサー２６は、検温部がノズル２２に埋め込まれており、ノズル２２の温度Ｔに応じた信号を制御部３０に出力する。本実施形態において、射出シリンダ温度センサー２５およびノズル温度センサー２６は、熱電対で構成されている。
【００３１】
射出ユニット駆動部２７は、例えば、電動モーターなどで構成されている。射出ユニット駆動部２７は、射出ユニット２０を上記レール上で移動させる。これにより、射出ユニット２０の射出シリンダ２１が固定金型８１に対して進退され、ノズル２２が固定金型８１に接したり（タッチしたり）、ノズル２２が固定金型８１から離れたりする。また、射出ユニット駆動部２７は、ノズル２２が固定金型８１に接しているときの当該ノズル２２を固定金型８１に押し付ける押付力を変えることができる。射出ユニット駆動部２７は、制御部３０からの制御信号により制御される。
【００３２】
スクリュー駆動部２８は、例えば、電動モーターなどで構成されており、射出シリンダ２１内でスクリュー２４を回転および進退させる。スクリュー駆動部２８は、制御部３０からの制御信号により制御される。
【００３３】
制御部３０は、射出成形機１全体の動作を司る。制御部３０は、例えば、中央処理装置（ＣＰＵ）、メモリ、各種入出力インタフェースなどを有する組み込み機器用のマイクロコンピュータを有して構成されている。制御部３０は、型締駆動部１４、加熱装置２３、射出シリンダ温度センサー２５、ノズル温度センサー２６、射出ユニット駆動部２７およびスクリュー駆動部２８と信号を送受可能に接続されている。制御部３０は、型閉動作、射出動作、保圧動作、計量動作（可塑化動作）、硬化待ち動作、型開動作、製品取り出し動作、接触状態調節動作などの各種動作において、射出成形機１の各駆動部等を制御する。制御部３０のメモリには、各種動作に関する情報が記憶されており、これら情報の１つとして、射出動作開始時のノズル２２の目標温度Ｔｍが記憶されている。
【００３４】
次に、上述した本実施形態の射出成形機１の制御部３０において実行される、成形品としての製品を成形する成形サイクルに係る動作の一例について、図４、図５を参照して説明する。
【００３５】
射出成形機１の制御部３０は、事前にパージ動作および初回射出分の樹脂材料の計量などを実行する。成形サイクルにおいて、固定金型８１および可動金型８２は、所定の樹脂硬化温度（例えば、１５０℃）となるように、各金型の内部に設けられた棒状ヒーター８５によって加熱されている。射出成形機１は、射出シリンダ２１の温度より固定金型８１および可動金型８２の温度が高くなるように設定されている。
【００３６】
成形サイクルにおいて、制御部３０は型締駆動部１４を制御して、固定金型８１に可動金型８２を押し付けて型締めする（型閉動作、Ｓ１１０）。次に、制御部３０はスクリュー駆動部２８を制御して、スクリュー２４を高速で前進させる（射出動作、Ｓ１２０）。これにより、射出シリンダ２１の先端部の樹脂材料が樹脂流路８４を通じてキャビティ８３に充填される。次に、制御部３０はスクリュー駆動部２８を制御して、キャビティ８３内の樹脂材料に所定の圧力（保圧）が加わるようにスクリュー２４を進退させる（保圧動作、Ｓ１３０）。
【００３７】
次に、制御部３０は加熱装置２３を制御して、射出シリンダ２１が所定の計量時温度となるように加熱する。さらに、制御部３０はスクリュー駆動部２８を制御して、スクリュー２４を回転させながら後退させ、樹脂材料を可塑化しつつ１回の射出に必要となる量の樹脂材料を射出シリンダ２１の先端部に供給（計量）する（計量動作、Ｓ１４０）。計量動作が終わると、制御部３０は加熱装置２３を制御して、射出シリンダ２１の加熱を停止する。また、計量動作と並行して、制御部３０はキャビティ８３内の樹脂材料が硬化するまで待つ（硬化待ち動作、Ｓ１５０）。
【００３８】
そして、硬化待ち動作が終わると、制御部３０は型締駆動部１４を制御して、固定金型８１および可動金型８２を開き（型開動作、Ｓ１６０）、図示しないエジェクトピンによりキャビティ８３から製品を取り出す（製品取り出し動作、Ｓ１７０）。
【００３９】
以降、上記型閉動作〜上記製品取り出し動作からなる成形サイクルを繰り返して製品の成形を行う。
【００４０】
また、図５に示すように、一の成形サイクル（Ｋ番目）における保圧動作終了後から次の成形サイクル（Ｋ＋１番目）の射出動作開始前までの期間（以下、「接触状態調節期間」という。）において、制御部３０は、接触状態調節動作を実行する。制御部３０は、接触状態調節動作を実行する接触状態調節部として機能する。接触状態調節動作について以下に説明する。
【００４１】
射出成形機１において、ノズル２２が固定金型８１にタッチしていると、固定金型８１からノズル２２に熱量が伝達されて、ノズル２２の温度Ｔが上昇する。また、ノズル２２が固定金型８１から離れていると、ノズル２２の熱量が射出シリンダ２１や空気中に逃げて、ノズル２２の温度Ｔが低下する。この作用を利用し、制御部３０は、ノズル温度センサー２６によって検出されたノズル２２の温度Ｔが目標温度Ｔｍより高いとき、射出ユニット駆動部２７を制御して射出ユニット２０を後退させ、ノズル２２を固定金型８１から離す。また、制御部３０は、ノズル温度センサー２６によって検出されたノズル２２の温度Ｔが目標温度Ｔｍより低いとき、射出ユニット駆動部２７を制御して射出ユニット２０を前進させ、ノズル２２を固定金型８１にタッチさせる。このようにして、制御部３０は、ノズル２２の温度Ｔに応じてノズル２２と固定金型８１とを接離させることにより接触状態を調節して、ノズル２２の温度Ｔを調節する。
【００４２】
または、ノズル２２が固定金型８１にタッチしている状態において、ノズル２２を固定金型８１に押し付ける押付力を変えると、固定金型８１からノズル２２に伝達される熱量が増減する。この作用を利用し、制御部３０は、ノズル温度センサー２６によって検出されたノズル２２の温度Ｔが目標温度Ｔｍとなるように、射出ユニット駆動部２７を制御して射出ユニット２０を前進または後退させ、ノズル２２を固定金型８１に押し付ける押付力を変えるようにしてもよい。なお、この押付力を変える動作には、ノズル２２を固定金型８１から離す動作（押付力＝０）を含んでいてもよい。このようにして、制御部３０は、ノズル２２の温度Ｔに応じて押付力を変えることにより接触状態を調節して、ノズル２２の温度Ｔを調節するようにしてもよい。
【００４３】
このように、接触状態調節部としての制御部３０は、ノズル温度センサー２６によって検出されたノズル２２の温度Ｔに応じて、射出動作開始時のノズル２２の温度Ｔが目標温度Ｔｍとなるように、保圧動作終了時から射出動作開始時までの期間に射出ユニット２０（すなわち射出シリンダ２１）を進退させてノズル２２と固定金型８１との接触状態を調節する。
【００４４】
以上説明したように、本実施形態の射出成形機１によれば、ノズル温度センサー２６によってノズル２２の温度Ｔを検出する。そして、検出したノズル２２の温度Ｔに応じて、射出動作開始時のノズル２２の温度Ｔが目標温度Ｔｍとなるように、保圧動作終了時から射出動作開始時までの期間に射出シリンダ２１を進退させてノズル２２と固定金型８１との接触状態を調節する。このようにしたことから、固定金型８１からノズル２２に適切な熱量を伝達させることができる。そのため、ヒーターやカバーなどの温度調節手段をノズル２２に設けることなく、射出動作時のノズル２２の温度Ｔを適切に調節できる。したがって、ノズル２２の温度Ｔを適切に調節可能でかつノズル２２の着脱の作業性を良好なものとすることができる。
【００４５】
上述した実施形態は、接触状態調節期間中にノズル２２の温度Ｔを検出し、温度Ｔが目標温度Ｔｍより高ければノズル２２を固定金型８１から離し、低ければノズル２２を固定金型８１にタッチさせる構成であったが、本発明はこの構成に限定されない。
【００４６】
例えば、上述した実施形態の射出成形機１において、制御部３０のメモリに、ノズル２２が固定金型８１と接している状態における単位時間当たりのノズル２２の温度上昇に関する情報（温度上昇係数α）を記憶する。また、制御部３０のメモリに、ノズル２２が固定金型８１から離れている状態における単位時間当たりノズル２２の温度低下（温度低下係数β）に関する情報を記憶する。そして、制御部３０は、保圧動作終了時に温度検出部により検出されたノズル２２の温度Ｔと目標温度Ｔｍとの温度差Ｔｄ（Ｔｄ＝Ｔｍ−Ｔ）を算出する。制御部３０は、この温度差Ｔｄと上記温度上昇係数αおよび温度低下係数βとを用いて、接触状態調節期間中にノズル２２と固定金型８１とが接しているべき時間（接触時間）および離れているべき時間（離間時間）を算出する。
【００４７】
一例として、接触時間をＴ１、離間時間をＴ２とし、温度上昇係数αが０．２℃／秒であり、温度低下係数βが−０．３℃／秒であり、温度差Ｔｄが−１０℃であり、接触状態調節期間の長さが４５秒だったとすると、以下の式（１）、（２）が成立する。
【００４８】
Ｔｄ＝０．２×Ｔ１＋（−０．３）×Ｔ２  ・・・（１）
Ｔ２＝４５−Ｔ１  ・・・（２）
【００４９】
上記式より、接触時間Ｔ１が７秒、離間時間Ｔ２が３８秒が得られる。そのため、例えば、保圧動作終了時から７秒経過した後に、制御部３０は、射出ユニット駆動部２７を制御して射出ユニット２０を後退させ、ノズル２２を固定金型８１から離す。それから３８秒経過した後に、制御部３０は、射出ユニット駆動部２７を制御して射出ユニット２０を前進させ、ノズル２２を固定金型８１にタッチさせて射出動作を実行する。なお、上記数値は一例であって、射出成形機１の構成等に応じて適宜設定される。
【００５０】
このように、制御部３０が、保圧動作終了時にノズル温度センサー２６により検出されたノズル２２の温度Ｔと目標温度Ｔｍとの温度差Ｔｄに基づいてノズル２２と固定金型８１との接触状態を調節することで、射出ユニット２０の進退回数を効果的に減少させ、射出ユニット２０を何度も進退させることを抑制することができる。
【００５１】
上記例では温度上昇係数αおよび温度低下係数βが常に一定であるものとして接触時間Ｔ１および離間時間Ｔ２を算出している。これ以外にも、例えば、ノズル２２の温度変化の特性（例えば、ノズル２２の温度が変化するにしたがって温度上昇係数α、温度低下係数βが徐々に変化するなど）や射出成形機１が設置される空間の気温などを考慮して温度上昇係数αおよび温度低下係数βを設定することで、ノズル２２の温度Ｔをより精度良く調節できる。
【００５２】
上記に本発明の実施形態を説明したが、本発明はこれらの例に限定されるものではない。前述の実施形態に対して、当業者が適宜、構成要素の追加、削除、設計変更を行ったものや、実施形態の特徴を適宜組み合わせたものも、本発明の要旨を備えている限り、本発明の範囲に含まれる。
【符号の説明】
【００５３】
１…射出成形機、５…基台、１０…型締ユニット、１１…トグルリンク機構、１２…固定ダイプレート、１３…可動ダイプレート、１４…型締駆動部、２０…射出ユニット、２１…射出シリンダ、２２…ノズル、２３…加熱装置、２４…スクリュー、２５…射出シリンダ温度センサー、２６…ノズル温度センサー、２７…射出ユニット駆動部、２８…スクリュー駆動部、３０…制御部、８１…固定金型、８２…可動金型、８３…キャビティ、８４…樹脂流路、８５…棒状ヒーター、α…温度上昇係数、β…温度低下係数、Ｔ…ノズルの温度、Ｔ１…接触時間、Ｔ２…離間時間、Ｔｄ…温度差、Ｔｍ…目標温度
【図１】
2020124821.tif 000003
【図２】
2020124821.tif 000004
【図３】
2020124821.tif 000005
【図４】
2020124821.tif 000006
【図５】
2020124821.tif 000007